(57)【特許請求の範囲】
【請求項１】
第１の基板と、少なくとも一方の表面に溝を備える第２の基板とを含み、
前記第１の基板は、前記第２の基板の前記表面上に積層されており、
内部に形成された空間からなる流体回路を備えており、遠心力の印加により前記流体回路内に存在する液体を前記流体回路内の所望の位置に移動させるマイクロチップであって、
前記流体回路は、前記溝と前記第１の基板における前記第２の基板に対向する側の表面とから構成される内部空間からなり、
前記流体回路は、液体試薬を収容する試薬保持部を含み、
前記試薬保持部に連結される、前記液体試薬を排出するための試薬排出路と、
前記試薬保持部に連結される、前記試薬排出路とは異なる流路であって、前記試薬保持部内に空気を導入するための空気導入路と、
を備え、
前記試薬排出路の末端における断面積φ1と前記空気導入路の末端における断面積φ2とが、φ1＜φ2の関係を満たし、
前記空気導入路は、前記第１の基板の外側表面に設けられた第１溝部を含み、
前記試薬保持部と前記試薬排出路との連結部と、前記空気導入路とを連通させる流路をさらに備え、
前記連結部と前記空気導入路とを連通させる前記流路は、
前記連結部の直上に設けられ、前記第１の基板を厚み方向に貫通する第１貫通穴と、
前記第１貫通穴から延びる、前記第１の基板の外側表面に設けられた第２溝部と
を含む液体試薬内蔵型マイクロチップ。
【請求項２】
前記試薬保持部と前記空気導入路との連結部が、前記液体試薬を前記試薬排出路から排出させるための所定方向の遠心力を印加したときに前記液体試薬の全量が形成する液面を基準に、前記試薬保持部と前記試薬排出路との連結部とは反対側に位置している請求項１に記載の液体試薬内蔵型マイクロチップ。
【請求項３】
前記空気導入路の末端が、前記液体試薬を前記試薬排出路から排出させるための所定方向の遠心力を印加したときに前記液体試薬の全量が形成する液面を基準に、前記試薬保持部と前記試薬排出路との連結部とは反対側に位置している請求項１に記載の液体試薬内蔵型マイクロチップ。
【請求項４】
前記空気導入路は、前記試薬保持部と前記試薬排出路との連結部の直上に設けられ、かつ、前記第１の基板を厚み方向に貫通する第２貫通穴を含む請求項１〜３のいずれか１項に記載の液体試薬内蔵型マイクロチップ。
【請求項５】
前記空気導入路における前記第２貫通穴とは反対側の末端が、前記液体試薬を前記試薬排出路から排出させるための所定方向の遠心力を印加したときに前記液体試薬の全量が形成する液面を基準に、前記試薬保持部と前記試薬排出路との連結部とは反対側に位置している請求項４に記載の液体試薬内蔵型マイクロチップ。
【請求項６】
前記空気導入路は、前記第１溝部の一端に接続される第３貫通穴をさらに含み、該第３貫通穴は、前記試薬保持部に接続され、かつ、前記第１の基板を厚み方向に貫通している請求項１〜３のいずれか１項に記載の液体試薬内蔵型マイクロチップ。
【請求項７】
前記流体回路は、前記液体試薬を計量するための計量部、および前記液体試薬を計量する際に前記計量部からオーバーフローする廃液を収容するための廃液溜め部をさらに含み、
前記空気導入路は、前記第１溝部の他端に接続される第４貫通穴をさらに含み、該第４貫通穴は、前記廃液溜め部またはこれに接続される流路の直上に設けられ、かつ、前記第１の基板を厚み方向に貫通している請求項６に記載の液体試薬内蔵型マイクロチップ。
【発明の詳細な説明】
【技術分野】
【０００１】
本発明は、ＤＮＡ、タンパク質、細胞、免疫もしくは血液等の生化学検査、化学合成または環境分析などに好適に使用されるμ−ＴＡＳ（Ｍｉｃｒｏ  Ｔｏｔａｌ  Ａｎａｌｙｓｉｓ  Ｓｙｓｔｅｍ）などとして有用なマイクロチップに関し、特には、検査または分析等の対象となる検体等と混合または反応させるための液体試薬を、あらかじめマイクロチップ内の試薬保持部に内蔵している液体試薬内蔵型マイクロチップに関する。
【背景技術】
【０００２】
近年、医療や健康、食品、創薬などの分野で、ＤＮＡ、酵素、抗原、抗体、タンパク質、ウィルスもしくは細胞などの生体物質、または化学物質を検知、検出あるいは定量する重要性が増してきており、それらを簡便に測定できる様々なバイオチップおよびマイクロ化学チップ（以下、これらを総称してマイクロチップと称する。）が提案されている。
【０００３】
マイクロチップは、実験室で従来行なっている一連の検査・分析操作を、小さなチップ内で行なえることから、検体および液体試薬が微量で済み、コストが低く、反応速度が速く、ハイスループットな検査・分析ができ、検体を採取した現場で直ちに検査・分析結果を得ることができるなど多くの利点を有している。
【０００４】
マイクロチップとしては、流体回路（あるいはマイクロ流体回路）と呼ばれる、該回路内に存在する検体や液体試薬等の液体に対して特定の処理を行なうための複数種類の部位（室）とこれらの部位を適切に接続する微細な流路とから構成される流路網をその内部に備えたものが従来公知である（たとえば特許文献１）。このような流体回路を内部に備えるマイクロチップを用いた検体の検査または分析などにおいては、その流体回路を利用して、流体回路内に導入された検体（または検体中の特定成分）やこれと混合される液体試薬の計量（すなわち、計量を行なうための部位である計量部への移動）、検体（または検体中の特定成分）と液体試薬との混合（すなわち、これらを混合するための部位である混合部への移動）、ある部位から他の部位への移動などの種々の処理が行なわれる。
【０００５】
なお、マイクロチップ内でなされる、各種液体（検体、検体中の特定成分、液体試薬、またはこれらのうちの２種以上の混合物など）に対してなされる処理を、以下では「流体処理」ともいう。これら種々の流体処理は、マイクロチップに対して、適切な方向の遠心力を印加することにより行なうことができる。
【０００６】
上記マイクロチップのうち、液体試薬内蔵型マイクロチップは、検体または検体中の特定成分と混合あるいは反応させるための液体試薬を流体回路内にあらかじめ保持しているマイクロチップであり、その流体回路には、液体試薬を収容する１または複数の試薬保持部が設けられる。液体試薬内蔵型マイクロチップには、通常、その一方の表面に、試薬保持部内に液体試薬を注入するための、該試薬保持部まで貫通する試薬注入口が形成され、該試薬注入口は、液体試薬が注入された後、たとえば封止用ラベル（シール）などの封止層をマイクロチップ表面に貼着することにより封止される。
【先行技術文献】
【特許文献】
【０００７】
【特許文献１】特開２００７−２８５７９２号公報
【発明の概要】
【発明が解決しようとする課題】
【０００８】
液体試薬内蔵型マイクロチップにおいては、マイクロチップに対して所定方向の遠心力を印加することにより試薬保持部に連結された試薬排出路から液体試薬を排出させ、これを、たとえば計量部に導入して液体試薬の計量を行なうなどの一連の流体処理に供する。しかし、従来の液体試薬内蔵型マイクロチップにおいては、遠心力を印加したとき、液体試薬の排出に伴って試薬保持部の内圧が低下してしまい（減圧状態になってしまい）、試薬保持部から液体試薬が良好に排出されないという問題があった。このような液体試薬の不十分な排出は、正確かつ信頼性の高い検査・分析を阻害し得る。
【０００９】
一方、遠心力印加時における液体試薬の排出性を改善するために、試薬排出路の断面積（内径）を大きくすると、液体試薬内蔵型マイクロチップ製造後使用時までの間（保管時、輸送時など）に、環境温度の変化や外気圧変化に伴う試薬保持部の内圧上昇により、液体試薬が容易に試薬保持部から流出してしまうという問題がある。このような液体試薬の意図しない流出もまた、正確かつ信頼性の高い検査・分析を阻害し得る。
【００１０】
そこで本発明は、マイクロチップ製造後使用時までの間における意図しない液体試薬の流出を効果的に防止できる一方で、遠心力印加時には、液体試薬を試薬保持部から良好に排出させることができる液体試薬内蔵型マイクロチップを提供することを目的とする。
【課題を解決するための手段】
【００１１】
本発明は、内部に形成された空間からなる流体回路を備えており、遠心力の印加により流体回路内に存在する液体を流体回路内の所望の位置に移動させるマイクロチップであって、流体回路が液体試薬を収容する試薬保持部を含む液体試薬内蔵型マイクロチップに関する。本発明の液体試薬内蔵型マイクロチップは、試薬保持部に連結される、液体試薬を排出するための試薬排出路と、試薬保持部に連結される、試薬排出路とは異なる流路であって、試薬保持部内に空気を導入するための空気導入路とを備えることを特徴とする。
【００１２】
１つの好ましい実施形態において、試薬保持部と空気導入路との連結部は、液体試薬を試薬排出路から排出させるための所定方向の遠心力を印加したときに液体試薬の全量が形成する液面を基準に、試薬保持部と試薬排出路との連結部とは反対側に位置される。
【００１３】
別の好ましい実施形態において、空気導入路の末端は、液体試薬を試薬排出路から排出させるための所定方向の遠心力を印加したときに液体試薬の全量が形成する液面を基準に、試薬保持部と試薬排出路との連結部とは反対側に位置される。
【００１４】
本発明の液体試薬内蔵型マイクロチップは、試薬保持部と試薬排出路との連結部と、空気導入路とを接続する流路をさらに備えることができる。
【００１５】
さらに別の好ましい実施形態において、試薬保持部と空気導入路との連結部と、試薬保持部と試薬排出路との連結部とは近接しているか、または一致している。この場合において、空気導入路の末端は、液体試薬を試薬排出路から排出させるための所定方向の遠心力を印加したときに液体試薬の全量が形成する液面を基準に、試薬保持部と試薬排出路との連結部とは反対側に位置されることが好ましい。
【００１６】
本発明の液体試薬内蔵型マイクロチップにおいて、試薬排出路の末端における断面積φ1と空気導入路の末端における断面積φ2とは、φ1＜φ2の関係を満たすことが好ましい。
【発明の効果】
【００１７】
本発明によれば、マイクロチップ製造後使用時までの間（保管時、輸送時など）における意図しない液体試薬の流出を効果的に防止できるとともに、遠心力印加時には、液体試薬を試薬保持部から良好に排出させることができ、もって正確かつ信頼性の高い検査・分析を行なえる液体試薬内蔵型マイクロチップを提供することができる。
【図面の簡単な説明】
【００１８】
【図１】第１の実施形態に係る液体試薬内蔵型マイクロチップを構成する第１の基板の外側表面を示す上面図である。
【図２】第１の実施形態に係る液体試薬内蔵型マイクロチップを構成する第２の基板における第１の基板側表面を示す上面図である。
【図３】第１の実施形態に係る液体試薬内蔵型マイクロチップを構成する第２の基板における第３の基板側表面を示す上面図である。
【図４】第１の実施形態に係る液体試薬内蔵型マイクロチップを構成する第３の基板の外側表面を示す上面図である。
【図５】第１の実施形態に係る液体試薬内蔵型マイクロチップの上面図である。
【図６】第１の実施形態に係る液体試薬内蔵型マイクロチップの下面図である。
【図７】図５の一部を拡大して示す上面図である。
【図８】図７に示されるＶＩＩＩ−ＶＩＩＩ線における断面図である。
【図９】第２の実施形態に係る液体試薬内蔵型マイクロチップの一部を拡大して示す上面図である。
【図１０】第３の実施形態に係る液体試薬内蔵型マイクロチップの一例における一部を拡大して示す上面図である。
【図１１】第３の実施形態に係る液体試薬内蔵型マイクロチップの他の一例における一部を拡大して示す上面図である。
【図１２】第４の実施形態に係る液体試薬内蔵型マイクロチップの一部を拡大して示す上面図である。
【図１３】第５の実施形態に係る液体試薬内蔵型マイクロチップの一部を拡大して模式的に示す斜視図である。
【発明を実施するための形態】
【００１９】
＜液体試薬内蔵型マイクロチップの概要＞
本発明の液体試薬内蔵型マイクロチップは、各種化学合成、検査または分析等を、それが内部に有する流体回路（内部に形成された空間）を用いて行なうチップであり、流体回路内の液体（検体、検体中の特定成分、液体試薬、および、これらのうちの２種以上の混合物など）を遠心力の印加により流体回路内の所定の位置（部位）に移動させることにより、該液体に対して適切な流体処理を行なうことができるものである。このために流体回路は、適切な位置に配置された種々の部位（室）を備えており、これらの部位は微細な流路を介して適切に接続されている。
【００２０】
本発明の液体試薬内蔵型マイクロチップにおいて流体回路は、上記部位（室）の１つとして、検査または分析などの対象となる検体と混合（または反応）させるための液体試薬を収容する試薬保持部を有している。この試薬保持部には、後で詳述するように、液体試薬を排出するための試薬排出路と、試薬排出路とは異なる流路であって、試薬保持部内に空気を導入するための空気導入路とが連結されている。
【００２１】
液体試薬内蔵型マイクロチップは、通常、その一方の表面に、試薬保持部内に液体試薬を注入するための、試薬保持部まで貫通する試薬注入口が設けられる。試薬注入口は、液体試薬が注入された後、たとえば封止用ラベル（シール）などの封止層をマイクロチップ表面に貼着することにより封止される。
【００２２】
流体回路は、上記の試薬保持部のほか、流体回路内に導入された検体から特定成分を取り出すための分離部；検体（検体中の特定成分を含む。以下同じ。）を計量するための検体計量部；液体試薬を計量するための試薬計量部；検体と液体試薬とを混合するための混合部；得られた混合液についての検査または分析（たとえば、混合液中の特定成分の検出または定量）を行なうための検出部；廃液（たとえば、計量時に検体計量部や試薬計量部からオーバーフローした検体や液体試薬）を収容する廃液溜め部などを含むことができる。
【００２３】
検査または分析の方法は特に制限されず、たとえば、混合液を収容する検出部に光を照射して透過する光の強度（透過率）を検出する方法、検出部に保持された混合液についての吸収スペクトルを測定する方法等の光学測定を挙げることができる。
【００２４】
本発明の液体試薬内蔵型マイクロチップは、上述の例示された部位（室）のすべてを有していてもよく、いずれか１以上を有していなくてもよい。また、これら例示された部位以外の部位を有していてもよい。各部位の数についても特に制限はなく、１または２以上であることができる。
【００２５】
検体からの特定成分の抽出（不要成分の分離）、検体および液体試薬の計量、検体と液体試薬との混合、得られた混合液の検出部への導入などのような流体回路内における種々の流体処理は、マイクロチップに対して適切な方向の遠心力を順次印加して、対象の液体を所定位置に配置された所定の部位に順次移動させることにより行なうことができる。たとえば、計量部による検体や液体試薬の計量は、所定の容量（計量すべき量と同じ量）を有する計量部へ、遠心力の印加により計量される検体または液体試薬を導入し、過剰分の検体または液体試薬を計量部からオーバーフローさせることにより実施することができる。オーバーフローした検体または液体試薬は、流路を介して計量部に接続された廃液溜め部に収容させることができる。
【００２６】
マイクロチップへの遠心力の印加は、マイクロチップを、遠心力を印加可能な装置（遠心装置）に載置して行なうことができる。遠心装置は、回転自在なローター（回転子）と、該ローター上に配置された回転自在なステージとを備えることができる。該ステージ上にマイクロチップを載置し、該ステージを回転させてローターに対するマイクロチップの角度を任意に設定したうえでローターを回転させることにより、マイクロチップに対して任意の方向の遠心力を印加することができる。
【００２７】
本発明の液体試薬内蔵型マイクロチップは、第１の基板と、該第１の基板上に積層、貼合された第２の基板とから構成することができ、より具体的には、第１の基板上に、表面に溝を備える第２の基板を、当該第２の基板の溝形成側表面が第１の基板に対向するように貼り合わせて構成することができる。かかる２枚の基板からなるマイクロチップは、第２の基板表面に設けられた溝と第１の基板における第２の基板に対向する側の表面とから構成される内部空間からなる流体回路を備える。第２の基板表面に形成される溝の形状およびパターンは、内部空間の構造が、所望される適切な流体回路構造となるように決定される。
【００２８】
また、本発明の液体試薬内蔵型マイクロチップは、第１の基板と、基板の両表面に設けられた溝を備える第２の基板と、第３の基板とをこの順で積層、貼合したものであってもよい。かかる３枚の基板からなるマイクロチップは、第１の基板における第２の基板に対向する側の表面および第２の基板における第１の基板に対向する側の表面に設けられた溝から構成される内部空間からなる第１の流体回路と、第３の基板における第２の基板に対向する側の表面および第２の基板における第３の基板に対向する側の表面に設けられた溝から構成される内部空間からなる第２の流体回路と、の２層の流体回路を備える。ここで、「２層」とは、マイクロチップの厚み方向に関して異なる２つの位置に流体回路が設けられていることを意味する。かかる２層の流体回路は、第２の基板を厚み方向に貫通する貫通穴によって接続することができる。
【００２９】
基板同士を貼り合わせる方法としては、特に限定されるものではなく、たとえば貼り合わせる基板のうち、少なくとも一方の基板の貼り合わせ面を融解させて溶着させる方法（溶着法）、接着剤を用いて接着させる方法などを挙げることができる。溶着法としては、基板を加熱して溶着させる方法；レーザー等の光を照射して、光吸収時に発生する熱により溶着する方法（レーザー溶着）；超音波を用いて溶着する方法などを挙げることができる。なかでもレーザー溶着法が好ましく用いられる。
【００３０】
本発明の液体試薬内蔵型マイクロチップの大きさは、特に限定されず、たとえば縦横数ｃｍ程度、厚さ数ｍｍ〜１ｃｍ程度とすることができる。
【００３１】
本発明の液体試薬内蔵型マイクロチップを構成する上記各基板の材質は、特に制限されず、たとえば、ポリエチレンテレフタレート（ＰＥＴ）、ポリブチレンテレフタレート（ＰＢＴ）、ポリメチルメタクリレート（ＰＭＭＡ）、ポリカーボネート（ＰＣ）、ポリスチレン（ＰＳ）、ポリプロピレン（ＰＰ）、ポリエチレン（ＰＥ）、ポリエチレンナフタレート（ＰＥＮ）、ポリアリレート樹脂（ＰＡＲ）、アクリロニトリル・ブタジエン・スチレン樹脂（ＡＢＳ）、塩化ビニル樹脂（ＰＶＣ）、ポリメチルペンテン樹脂（ＰＭＰ）、ポリブタジエン樹脂（ＰＢＤ）、生分解性ポリマー（ＢＰ）、シクロオレフィンポリマー（ＣＯＰ）、ポリジメチルシロキサン（ＰＤＭＳ）などの熱可塑性樹脂を用いることができる。
【００３２】
マイクロチップが第１の基板と、基板表面に溝を備える第２の基板とから構成される場合、第２の基板は、検出光を利用する光学測定のための検出部を構築するために、透明基板とすることが好ましい。第１の基板は、透明基板であっても不透明基板であってもよいが、レーザー溶着を行なう場合には、光吸収率を増大できることから、不透明基板とすることが好ましく、基板を樹脂から構成し、該樹脂中にカーボンブラック等の黒色顔料を添加することにより黒色基板とすることがより好ましい。
【００３３】
マイクロチップが第１の基板と、基板の両表面に溝を備える第２の基板と、第３の基板とから構成される場合、レーザー溶着の効率性の観点から、第２の基板を不透明基板とすることが好ましく、黒色基板とすることがより好ましい。一方、第１および第３の基板は、検出光を利用する光学測定のための検出部を構築するために、透明基板とすることが好ましい。第１および第３の基板を透明基板とすると、第２の基板に設けられた貫通穴と、透明な第１および第３の基板とから光学測定のための検出部を形成でき、マイクロチップ表面と略垂直な方向から該検出部に検出光を照射して、透過する光の強度（透過率）を検出するなどの光学測定を行なうことが可能となる。
【００３４】
第２の基板表面に、流体回路を構成する溝（パターン溝）を形成する方法としては、特に制限されず、転写構造を有する金型を用いた射出成形法、インプリント法などを挙げることができる。無機材料を用いて基板を形成する場合には、エッチング法などを用いることができる。溝の形状は適切な流体回路構造となるように決定される。
【００３５】
なお、第２の基板以外の基板（第１および／または第３の基板）にも、流体回路を構成する溝や、外側表面に形成される溝や凹部、貫通穴などを適宜設けることができる。
【００３６】
以下、実施の形態を示して、本発明の液体試薬内蔵型マイクロチップについてより詳細に説明する。
【００３７】
＜第１の実施形態＞
本発明に係る液体試薬内蔵型マイクロチップおよびこれを構成する基板の例を図１〜図８に示す。これらの図面によって示される液体試薬内蔵型マイクロチップ１００は、透明基板である第１の基板１、流体回路を形成する溝を両表面に有する黒色基板である第２の基板２、および、透明基板である第３の基板３をこの順で積層、貼合してなる。
【００３８】
図１は、第１の基板１の外側表面（第２の基板２側とは反対側の表面）を示す上面図である。図２は、第２の基板２における第１の基板１側表面を示す上面図であり、図３は、第２の基板２における第３の基板３側表面を示す上面図である。図４は、第３の基板３の外側表面（第２の基板２側とは反対側の表面）を示す上面図である。図５は、第１〜第３の基板を貼り合わせてなる液体試薬内蔵型マイクロチップ１００の上面図であり、第１の基板１の外側表面に設けられた溝および貫通穴等（図１に示したもの）と第２の基板２における第１の基板１側表面に設けられた溝等（図２に示したもの）とを重ねて表示したものである。図６は、第１〜第３の基板を貼り合わせてなる液体試薬内蔵型マイクロチップ１００の下面図であり、第３の基板３の外側表面に設けられた貫通穴等（図４に示したもの）と第２の基板２における第３の基板３側表面に設けられた溝等（図３に示したもの）とを重ねて表示したものである。図７は、図５の一部を拡大して示す上面図であり、図８は、図７に示されるＶＩＩＩ−ＶＩＩＩ線における断面図である。
【００３９】
なお、図１、３、５および６において点線は、その点線で囲まれた領域が凹部を構成していることを意味している。
【００４０】
図１および５を参照して、第１の基板１には、試薬注入口１０３ａ，１０３ｂを含む、合計１１個の試薬注入口が設けられている。これらの試薬注入口は、第１の基板１を厚み方向に貫通する貫通穴である。また、第１の基板１には、検体（たとえば全血）を流体回路内に導入するための、同じく第１の基板１を厚み方向に貫通する貫通穴である検体導入口１０５が設けられている。本実施形態の液体試薬内蔵型マイクロチップ１００は、液体試薬を試薬注入口から注入した後、すべての試薬注入口ならびに後述する空気導入路を構成するすべての溝およびすべての貫通穴を封止できるサイズを有する封止用ラベル（シール）などの封止層４を第１の基板１の外側表面に貼着することにより封止して、使用（検体の検査・分析）に供される（図８参照）。なお、図１〜図７では、マイクロチップ表面の構造および流体回路の構造を明確に把握できるよう封止層４を割愛している。
【００４１】
本実施形態の液体試薬内蔵型マイクロチップ１００の流体回路について説明すると、図２および図３を参照して、第２の基板２には、その両面に形成された溝および厚み方向に貫通する複数の貫通穴が形成されており、これに第１の基板１および第３の基板３を貼り合わせることによって、マイクロチップ内部に２層の流体回路が形成されている。なお、以下では、第１の基板１における第２の基板２側表面および第２の基板２における第１の基板１側表面に設けられた溝から構成される流体回路を「第１の流体回路」、第３の基板３における第２の基板２側表面および第２の基板２における第３の基板３側表面に設けられた溝から構成される流体回路を「第２の流体回路」と称する。これら２つの流体回路は、第２の基板２に形成された厚み方向に貫通するいくつかの貫通穴によって連結している。
【００４２】
図２から第１の流体回路の構造を、図３から第２の流体回路の構造を把握することができる。本実施形態の液体試薬内蔵型マイクロチップ１００は、１つの検体について６項目の検査・分析を行なうことができる多項目チップであり、その流体回路は、６項目の検査・分析を行なうことができるよう、６つのセクション〔図２（第１の流体回路）におけるセクション１〜６。図３（第２の流体回路）においても同様。〕に分けられている。ただし、検体計量部設置領域（図３に示される第２の流体回路の上部領域）においてこれらは互いに接続されている。
【００４３】
上記各セクションは、およそ同様の構成を有しており、流体処理も同様であるため、以下では、主に「セクション４」を採り上げて説明する。
【００４４】
セクション４には、第１の流体回路内において、液体試薬が内蔵された試薬保持部が２つ設けられている（図２、図５における試薬保持部２０１ａ、２１１ａ）。上記のように各試薬保持部には、第１の基板１を厚み方向に貫通する貫通穴である試薬注入口が設けられている（図１、図５における試薬注入口１０３ａ、１１３ａ）。また、各試薬保持部の下端には、試薬保持部内の液体試薬を排出するための試薬排出路２０２ａ、２１２ａがそれぞれ連結されている（図２および図５参照）。試薬排出路２０２ａ、２１２ａは、第２の基板２の厚み方向に延びる貫通穴であり、裏側の第２の流体回路に繋がっている。試薬保持部２０１ａ、２１１ａから排出された液体試薬は、第２の流体回路内の試薬計量部３０１ａ、３１１ａにそれぞれ導入され、計量される（図３および図６参照）。
【００４５】
セクション４には、第２の流体回路内において、検体中の特定成分を計量するための検体計量部４０１が設けられている。このような検体計量部は各セクションに設けられており、これらの検体計量部は、流路によって直列的に接続されている（図３および図６参照）。
【００４６】
また、本実施形態の液体試薬内蔵型マイクロチップ１００は、マイクロチップ内に導入された検体から特定成分（液体試薬と混合される成分）を取り出す（たとえば全血から血球成分を分離し、血漿成分を取り出す）ための分離部５０１を備えている（図３および図６参照）。分離操作は遠心分離によりなされる。
【００４７】
検体導入口１０５から導入された検体は、分離部５０１にて特定成分が取り出された後、各セクションに分配されるとともに検体計量部（たとえばセクション４においては検体計量部４０１）にて計量されると、別途計量された各セクション内の１種または２種の液体試薬と混合されて、それぞれ検出部（たとえばセクション４においては検出部６０１）に導入される（図２および図３等参照）。検出部に導入された混合液は、たとえば、マイクロチップ表面と略垂直な方向から検出部に検出光を照射し、その透過光の透過率を測定する等の光学的測定に供され、該混合液中の特定成分の検出等がなされる。
【００４８】
以上のような流体回路を有する３枚の基板からなるマイクロチップにおいて、本実施形態の液体試薬内蔵型マイクロチップ１００は、各試薬保持部に連結された試薬排出路とは別に、試薬保持部に空気を導入するための空気導入路がそれぞれの試薬保持部に連結されていることを特徴とする。すなわち、セクション４の試薬保持部２０１ａに関していえば、図１、図５、図５におけるセクション４の試薬保持部２０１ａ周辺の拡大図である図７、および、図７に示されるＶＩＩＩ−ＶＩＩＩ線における断面図である図８を参照して、試薬注入口１０３ａから湾曲して延びる溝１０１ａと、溝１０１ａの末端に接続される貫通穴１０２ａとから構成される空気導入路１０１が試薬保持部２０１ａに連結されている。空気導入路１０１は、試薬注入口１０３ａを介して試薬保持部２０１ａに連結されている。セクション４の試薬保持部２１１ａおよび他のセクションの試薬保持部についても同様である（例外については後述）。
【００４９】
空気導入路１０１を構成する溝１０１ａは、第１の基板１の外側表面（第２の基板２側とは反対側の表面）に形成された溝であり、貫通穴１０２ａは、第１の基板１を厚み方向に貫通する貫通穴である。貫通穴１０２ａは、廃液溜め部７０１に接続された流路７０２の直上に位置している。溝１０１ａおよび貫通穴１０２ａの断面形状は特に制限されず、それぞれ長方形、正方形、円形などであることができる。ここで、貫通穴１０２ａは、流路７０２と空間的に連通しており、したがって流路７０２は、第１および第２の流体回路を構成する他の流路および部位（室）を介して検体導入口１０５と接続されているため、貫通穴１０２ａの末端は、マイクロチップ外部と連通している。
【００５０】
試薬保持部に連結された試薬排出路とは別に、試薬保持部に連結された上記のような空気導入路を備える本実施形態の液体試薬内蔵型マイクロチップ１００によれば、マイクロチップ製造後使用時までの間（保管時、輸送時など）における意図しない試薬排出路からの液体試薬の流出を防止するために試薬排出路の断面積を十分小さくしても、液体試薬を試薬排出路から排出させるための所定方向の遠心力を印加したとき、液体試薬の排出に伴って空気導入路から空気が補充され、試薬保持部の内圧低下が生じないため、良好に（スムーズに）液体試薬を排出させることができる。
【００５１】
マイクロチップ製造後使用時までの間における意図しない試薬排出路からの液体試薬の流出を防止するために、試薬排出路の断面積は１００〜５００，０００μｍ2とすることが好ましく、１００〜１０，０００μｍ2とすることがより好ましい。
【００５２】
試薬保持部と空気導入路との連結部〔セクション４の試薬保持部２０１ａに関していえば、試薬注入口１０３ａと空気導入路１０１（より具体的には溝１０１ａ）との連結部〕を、試薬保持部のいずれの位置に設定するかについては、後述する他の実施形態が示す如く比較的設計自由度が高いが、本実施形態では、図７を参照して、液体試薬Ｘを試薬排出路２０２ａから排出させるための所定方向の遠心力（図７に示される矢印の向きのような、図７におけるおよそ下向きの遠心力）を印加したときに液体試薬Ｘの全量が試薬保持部２０１ａ内において形成する液面Ｙを基準に、試薬保持部２０１ａと試薬排出路２０２ａとの連結部とは反対側に試薬保持部２０１ａと空気導入路１０１との連結部を設けている。すなわち、試薬保持部２０１ａと空気導入路１０１との連結部は、液体試薬Ｘを試薬排出路２０２ａから排出させるための所定方向の遠心力を印加したときに、該連結部が液体試薬Ｘに接触しないような位置に設けられている。
【００５３】
このような位置に試薬保持部と空気導入路との連結部を設けることにより、液体試薬を試薬排出路から排出させるための遠心力印加時に、サイフォンの原理により試薬保持部内にある液体試薬が空気導入路を通じて、空気導入路の入口側（空気導入路を構成する貫通穴の末端側）に流出することを防止できる。
【００５４】
セクション４の試薬保持部２０１ａにおいて空気導入路１０１（溝１０１ａ）は、試薬注入口１０３ａに連結されているが、これに限定されるものではない。たとえば、セクション６の試薬保持部２２１ａのように、試薬注入口１０３ｂとは別に、第１の基板１を厚み方向に貫通する貫通穴１０４ｂを試薬保持部２２１ａ直上のいずれかの位置に設けて空気導入路を形成してもよい。すなわち、セクション６の試薬保持部２２１ａにおいて、空気導入路は、貫通穴１０４ｂと、貫通穴１０４ｂに接続され、第１の基板１の外側表面に形成された溝１０１ｂと、溝１０１ｂに接続される貫通穴１０２ｂとからなる（図１および図５参照）。
【００５５】
本実施形態において、空気導入路の末端（入口）となる、空気導入路を構成する貫通穴を、流体回路上のいずれの位置に設定するかについては特に制限はなく、図７を参照して、液体試薬Ｘを試薬排出路２０２ａから排出させるための所定方向の遠心力を印加したときに液体試薬Ｘの全量が試薬保持部２０１ａ内において形成する液面Ｙを基準として、試薬保持部２０１ａと試薬排出路２０２ａとの連結部とは反対側に貫通穴１０２ａを設けてもよいし、同じ側に貫通穴１０２ａを設けてもよい。図７においては、同じ側に貫通穴１０２ａを設けている。
【００５６】
ただし、たとえばマイクロチップの出荷輸送時などに、試薬保持部と空気導入路との連結部から液体試薬が空気導入路に入り込み、該液体試薬が空気導入路の末端（入口）から流出して、流体回路内に漏れ出す万一の可能性を考慮して、空気導入路を構成する貫通穴は、流体回路のうち、廃液を収容する廃液溜め部またはこれに接続される流路の直上に設けることが好ましい。セクション４の試薬保持部２０１ａにおいて空気導入路１０１を構成する貫通穴１０２ａは、液体試薬計量時に試薬計量部３０１ａからオーバーフローした液体試薬を収容するための廃液溜め部７０１に接続された流路７０２の直上に設けられている。なお、上記万一の可能性を考慮して、空気導入路の末端（入口）から流出した液体試薬を収容するための部位（室）を、計量部からオーバーフローした廃液を収容するための廃液溜め部とは別途に設けておき、その直上またはそれに接続される流路の直上に空気導入路を構成する貫通穴を設けてもよい。
【００５７】
試薬排出路の末端における断面積をφ1、空気導入路の末端における断面積φ2とするとき、φ1＜φ2の関係を満たすことが好ましい。これにより、たとえばマイクロチップの出輸送時や保存時などにおいて試薬保持部の内圧が上昇し、万一、液体試薬が試薬保持部から流出する場合においても、液体試薬は空気導入路側から流出し、試薬排出路からは流出しないため、マイクロチップを用いた検査・分析に悪影響を与えない。φ1＜φ2の関係を満たすことが好ましいことは後述する他の実施形態でも同様である。
【００５８】
「セクション４」を主に採り上げて、本実施形態の液体試薬内蔵型マイクロチップ１００による検体（例として全血を採り上げる）の検査・分析方法（流体処理操作）を説明すると次のとおりである。
【００５９】
（１）全血導入、液体試薬計量工程
第１の基板１の検体導入口１０５から全血を導入し、ついで図２における略下向きに遠心力を印加する。これにより全血は、領域１０を通って収容部８０１に導入される（図２参照）。また、この略下向きの遠心力印加により、試薬保持部２０１ａ、２１１ａ内の液体試薬は、それぞれ試薬排出路２０２ａ、２１２ａを通って試薬計量部３０１ａ、３１１ａに至り、計量される（図３参照）。各試薬計量部から溢れた液体試薬は、それぞれ貫通穴２０、３０を通って、廃液溜め部７０１、７１０に収容される（図２参照）。
【００６０】
前記の封止層４として透明なフィルムを用い、液体試薬として着色水溶液を用いて液体試薬の排出性を確認したところ、上記略下向きの遠心力（３０００ｒｐｍ、１５秒）の印加により、すべての試薬保持部から良好に液体試薬の全量が試薬排出路から排出され、試薬計量部に導入されていることが確認された。
【００６１】
（２）遠心分離工程
次に、図２における略左向きに遠心力を印加した後、略下向きに遠心力を印加して、収容部８０１内の全血を、貫通穴４０を通して分離部５０１に導入する。そして引き続き略下向きに遠心力を印加することにより分離部５０１にて遠心分離を行ない、血漿成分（上層）と血球成分（下層）とに分離する。
【００６２】
（３）検体計量工程
次に、図３における略右向きの遠心力を印加する。これにより、分離部５０１において分離された血漿成分は、検体計量部４０１に導入され（同時に他の５つの検体計量部にも導入される）、計量される（図３参照）。検体計量部から溢れた血漿成分は、貫通穴５０を通って第１の流体回路に移動する（図２および図３参照）。この略右向きの遠心力により、試薬計量部３０１ａ内の液体試薬は、混合部９０１に移動し、試薬計量部３１１ａ内の液体試薬は、流路１１に移動する。
【００６３】
（４）第１混合工程
次に、図３における略下向きの遠心力を印加する。これにより、計量された液体試薬（試薬保持部２０１ａに保持されていた液体試薬）と、検体計量部４０１にて計量された血漿成分とが、試薬計量部３０１ａにおいて混合される（第１混合工程第１ステップ、図３参照）。次に、図３における略右向きの遠心力を印加することにより、混合液は、混合部９０１に残存していた液体試薬とさらに混合される（第１混合工程第２ステップ、図３参照）。これら第１ステップおよび第２ステップを必要に応じて複数回行ない、確実に混合を行なう。
【００６４】
（５）第２混合工程
次に、図３における略上向きの遠心力を印加する。これにより、混合部９００内の混合液は、貫通穴６０を通って混合部９１０に至り、計量されたもう一方の液体試薬（試薬保持部２１１ａ内に保持されていた液体試薬）もまた、貫通穴６０を通って混合部９１０に至り、これらが混合される（第２混合工程第１ステップ、図２および図３参照）。次に、図２における略右向きの遠心力を印加することにより、混合液を混合部９１０内で移動させ、混合を促進させる（第２混合工程第２ステップ、図２参照）。これら第１ステップおよび第２ステップを必要に応じて複数回行ない、確実に混合を行なう。
【００６５】
（６）検出部導入工程
最後に、図２における略下向きの遠心力を印加する。これにより、混合部９１０内の混合液は検出部６０１に導入される。検出部６０１に充填された混合液は、光学測定に供され、検体（血漿成分）の検査・分析が行なわれる。たとえば、マイクロチップ表面に対して略垂直な方向から光を照射し、その透過光を測定することにより、混合液中の特定成分の検出等がなされる。他の検出部に導入された混合液についても同様である。
【００６６】
＜第２の実施形態＞
図９は、本実施形態に係る液体試薬内蔵型マイクロチップの一部を拡大して示す、図７と同様の上面図である。図９においても、マイクロチップ表面の構造および流体回路の構造を明確に把握できるよう封止層４を割愛している。
【００６７】
本実施形態は、図７に示される空気導入路と異なり、液体試薬Ｘを試薬排出路２０２ａから排出させるための所定方向の遠心力（図９に示される矢印の向きのような、図９におけるおよそ下向きの遠心力）を印加したときに液体試薬Ｘの全量が試薬保持部２０１ａ内において形成する液面Ｙを基準に、試薬保持部２０１ａと試薬排出路２０２ａとの連結部とは反対側に、空気導入路１０１の末端（入口）となる、空気導入路１０１を構成する貫通穴１０２ａを設けていることを特徴とする。
【００６８】
このような位置に空気導入路１０１を構成する貫通穴１０２ａ（空気導入路の末端）を設けることにより、試薬保持部２０１ａと空気導入路１０１との連結部が上記液面Ｙを基準に、試薬保持部２０１ａと試薬排出路２０２ａとの連結部とは反対側に設けられていない場合であっても、液体試薬Ｘを試薬排出路２０２ａから排出させるための遠心力印加時に、サイフォンの原理により試薬保持部２０１ａ内にある液体試薬Ｘが空気導入路１０１を通じて、空気導入路１０１の入口側（空気導入路１０１を構成する貫通穴１０２ａの末端側）に流出することを防止できる。
【００６９】
＜第３の実施形態＞
図１０および１１は、本実施形態に係る液体試薬内蔵型マイクロチップの一部を拡大して示す、図７と同様の上面図である。図１０および１１においても、マイクロチップ表面の構造および流体回路の構造を明確に把握できるよう封止層４を割愛している。
【００７０】
本実施形態の液体試薬内蔵型マイクロチップは、空気導入路１０１に加えて、試薬保持部２０１ａと試薬排出路２０２ａとの連結部と、空気導入路１０１とを接続する流路（導液路）１１０をさらに備えることを特徴とする。図１０は、流路（導液路）１１０が、〔１〕試薬保持部２０１ａと試薬排出路２０２ａとの連結部の直上（すなわち、試薬排出路２０２ａの直上）に設けられた、第１の基板１を厚み方向に貫通する貫通穴、および、〔２〕該貫通穴から、試薬保持部２０１ａ（試薬注入口１０３ａ）と空気導入路を構成する溝１０１ａとの連結部まで延びる、第１の基板１の外側表面（第２の基板２側とは反対側の表面）に形成された溝、から構成された例を示している。
【００７１】
一方、図１１は、流路（導液路）１１０が、〔１〕試薬保持部２０１ａと試薬排出路２０２ａとの連結部の直上（すなわち、試薬排出路２０２ａの直上）に設けられた、第１の基板１を厚み方向に貫通する貫通穴、〔２〕該貫通穴から試薬注入口１０３ａまで延びる、第１の基板１の外側表面（第２の基板２側とは反対側の表面）に形成された溝である第１の導液路１１０ａ、および、〔３〕第１の基板１を厚み方向に貫通する貫通穴である試薬注入口１０３ａと第１の基板１の表面に貼着される封止層４（図１１において図示せず）とで形成される角部である第２の導液路１１０ｂから構成された例を示している。
【００７２】
本実施形態における「導液路」とは、試薬保持部に収容されている液体試薬が通り得る流路である。図１０および図１１に示されるような、導液路を有する液体試薬内蔵型マイクロチップによれば、マイクロチップ製造後使用時までの間（保管時、輸送時など）に、試薬保持部２０１ａ内の液体試薬Ｘの一部が、試薬保持部２０１ａと試薬排出路２０２ａとの連結部側の末端より侵入して導液路１１０を伝わり、空気導入路を構成する溝１０１ａの試薬保持部側開口を塞ぐため、マイクロチップ製造後使用時までの間（保管時、輸送時など）にマイクロチップが衝撃を受けた場合においても、試薬排出路２０２ａから液体試薬Ｘが流出することをより効果的に防止することができる。
【００７３】
上記のような導液路による液体試薬Ｘの流出防止効果は、液体試薬Ｘの濡れ性が高いといほど顕著である。
【００７４】
なお、図１０の例において流路（導液路）１１０を、試薬保持部２０１ａ（試薬注入口１０３ａ）と空気導入路を構成する溝１０１ａとの連結部に接続するのではなく、溝１０１ａのみに接続するようにしてもよい。
【００７５】
＜第４の実施形態＞
図１２は、本実施形態に係る液体試薬内蔵型マイクロチップの一部を拡大して示す、図７と同様の上面図である。図１２においても、マイクロチップ表面の構造および流体回路の構造を明確に把握できるよう封止層４を割愛している。
【００７６】
本実施形態は、図７に示される空気導入路と異なり、試薬保持部２０１ａと空気導入路１０１との連結部が、試薬保持部２０１ａと試薬排出路２０２ａとの連結部に近接しているか、またはこれと一致していることを特徴とする。図１２に示される例はこれらの連結部が一致している例である。また、前述した試薬保持部２２１ａの空気導入路は、これらの連結部が極めて近接しており、本実施形態の範疇に属するものである。
【００７７】
図１２に示される例において空気導入路は、〔１〕試薬保持部２０１ａと試薬排出路２０２ａとの連結部の直上（すなわち、試薬排出路２０２ａの直上）に設けられた、第１の基板１を厚み方向に貫通する貫通穴、〔２〕該貫通穴から延びる、第１の基板１の外側表面（第２の基板２側とは反対側の表面）に形成された溝１０１ａ、および、〔３〕溝１０１ａに接続された、第１の基板１を厚み方向に貫通する貫通穴１０２ａから構成されている。
【００７８】
本実施形態の液体試薬内蔵型マイクロチップによれば、上記第３の実施形態と同様、マイクロチップ製造後使用時までの間（保管時、輸送時など）に、試薬保持部２０１ａ内の液体試薬Ｘの一部が、空気導入路１０１の試薬保持部２０１ａ側の末端より侵入して当該末端開口を塞ぐため、マイクロチップ製造後使用時までの間（保管時、輸送時など）にマイクロチップが衝撃を受けた場合においても、試薬排出路２０２ａから液体試薬Ｘが流出することをより効果的に防止することができる。
【００７９】
本実施形態においては、試薬保持部２０１ａと空気導入路１０１との連結部が、液体試薬Ｘを試薬排出路２０２ａから排出させるための所定方向の遠心力（図１２に示される矢印の向きのような、図１２におけるおよそ下向きの遠心力）を印加したときに液体試薬Ｘの全量が試薬保持部２０１ａ内において形成する液面Ｙを基準に、試薬保持部２０１ａと試薬排出路２０２ａとの連結部と同じ側に設けられることとなる。したがって、液体試薬Ｘを試薬排出路２０２ａから排出させるための遠心力印加時に、サイフォンの原理により試薬保持部２０１ａ内にある液体試薬Ｘが空気導入路１０１を通じて、空気導入路１０１の入口側（空気導入路１０１を構成する貫通穴１０２ａの末端側）に流出することを防止するために、上記第２の実施形態と同様、空気導入路１０１の末端（入口）となる、空気導入路１０１を構成する貫通穴１０２ａを、上記液面Ｙを基準に、試薬保持部２０１ａと試薬排出路２０２ａとの連結部とは反対側に設けることが好ましい。
【００８０】
＜第５の実施形態＞
図１３は、本実施形態に係る液体試薬内蔵型マイクロチップの一部を拡大して模式的に示す斜視図である。図１３においても封止層４は割愛されている。上記第１〜第４の実施形態では、第１の基板１の外側表面に空気導入路が形成されている一方、本実施形態は、空気導入路１０１を、試薬排出路２０２ａと同様、第２の基板２の厚み方向に延びる貫通穴として構成している点に特徴を有する。
【００８１】
上記第１の実施形態でも触れたように、空気導入路１０１である貫通穴は、流体回路のうち、廃液を収容する廃液溜め部またはこれに接続される流路の直上に設けることが好ましい。空気導入路１０１である貫通穴は、流体回路を構成する他の流路および部位（室）を介してマイクロチップ外部と連通させることができる。一方、試薬排出路２０２ａは、上記実施形態と同様、通常、試薬計量部に向けられる。
【００８２】
図１３に示されるように、試薬排出路２０２ａおよび空気導入路１０１は、試薬保持部２０１ａにおける互いに対向する位置に配置させることが好ましい。これにより、液体試薬を試薬排出路２０２ａから排出させるための所定方向の遠心力を印加したときに、空気導入路１０１から液体試薬が流出することを防止できる。
【符号の説明】
【００８３】
１  第１の基板、２  第２の基板、３  第３の基板、４  封止層、１１  流路、２０，３０，４０，５０，６０  貫通穴、１００  液体試薬内蔵型マイクロチップ、１０１  空気導入路、１０１ａ，１０１ｂ  溝、１０２ａ，１０２ｂ，１０４ｂ  貫通穴、１０３ａ，１０３ｂ，１１３ａ  試薬注入口、１０５  検体導入口、１１０  流路（導液路）、１１０ａ  第１の導液路、１１０ｂ  第２の導液路、２０１ａ，２１１ａ，２２１ａ  試薬保持部、２０２ａ，２１２ａ  試薬排出路、３０１ａ，３１１ａ  試薬計量部、４０１  検体計量部、５０１  分離部、６０１  検出部、７０１，７１０  廃液溜め部、７０２  流路、８０１  収容部、９０１，９１０  混合部。
【図１】
0005951219.tif 000002
【図２】
0005951219.tif 000003
【図３】
0005951219.tif 000004
【図４】
0005951219.tif 000005
【図５】
0005951219.tif 000006
【図６】
0005951219.tif 000007
【図７】
0005951219.tif 000008
【図８】
0005951219.tif 000009
【図９】
0005951219.tif 000010
【図１０】
0005951219.tif 000011
【図１１】
0005951219.tif 000012
【図１２】
0005951219.tif 000013
【図１３】
0005951219.tif 000014